(57)【要約】【課題】排水騒音の低減の観点から排水立て管の仕様と、その排水立て管が通される集合住宅のパイプスペースと居室間を仕切る隔壁の仕様とを容易に決定することを目的とする。【解決手段】本発明に係る設備設計表は、排水立て管における遮音上の仕様と、パイプスペースと居室間を仕切る隔壁の仕様とを決定するために使用される設備設計表であって、排水立て管の複数種類の仕様と、隔壁の複数種類の仕様との全ての組み合わせにおいて、所定流量の排水を排水立て管に流したときの居室内の音圧レベルが周波数毎に表示されており、室内騒音を表わす所定のＮＣ値よりも前記音圧レベルが小さくなる排水立て管の仕様と隔壁の仕様との組み合わせがまとまり、所定のＮＣ値よりも音圧レベルが大きくなる組み合わせがまとまるように、前記組み合わせの配置が決められている。【選択図】図４
2017119959.tif 000002
【特許請求の範囲】
【請求項１】
集合住宅の上階と下階とを仕切る床スラブを貫通して設けられており、被覆材に覆われている排水管継手と、排水を流下させるパイプで各階の排水管継手を連結しており、前記集合住宅のパイプスペースに収納されている排水立て管とを備える排水設備において、前記排水立て管の仕様と、前記パイプスペースと居室間を仕切る隔壁の仕様とを決定するために利用される設備設計表であって、
前記排水立て管の複数種類の仕様と、前記隔壁の複数種類の仕様との全ての組み合わせにおいて、所定流量の排水を前記排水立て管に流したときの前記居室内の音圧レベルが周波数毎に表示されており、
室内騒音を表わす所定のＮＣ値よりも前記音圧レベルが小さくなる前記排水立て管の仕様と前記隔壁の仕様との組み合わせがまとまり、前記所定のＮＣ値よりも前記音圧レベルが大きくなる前記組み合わせがまとまるように、前記組み合わせの配置が決められている設備設計表。
【請求項２】
請求項１に記載された設備設計表であって、
前記所定のＮＣ値よりも前記音圧レベルが小さくなる前記排水立て管の仕様と前記隔壁の仕様との組み合わせが枠で囲まれている設備設計表。
【請求項３】
請求項２に記載された設備設計表であって、
前記所定のＮＣ値が複数レベルで設けられており、
各々のレベルのＮＣ値よりも小さくなる前記排水立て管の仕様と前記隔壁の仕様との組み合わせが枠で囲まれている設備設計表。
【請求項４】
請求項１から請求項３のいずれかに記載された設備設計表であって、
前記隔壁の複数種類の仕様は、12.5mmの石膏ボードが１枚のもの、あるいは前記12.5mmの石膏ボードを２枚重ねたもの、あるいは12.5mmの石膏ボードを１枚と9.5mmの石膏ボードを１枚とを重ねたもの、あるいは9.5mmの石膏ボードを２枚重ねたもの、あるいは9.5mmの石膏ボードが１枚のものである設備設計表。
【請求項５】
請求項１から請求項４のいずれかに記載された設備設計表であって、
前記排水立て管の複数種類の仕様は、硬質塩化ビニル管で被覆されていないもの、あるいは硬質塩化ビニル管を耐火繊維モルタルで被覆したもの、あるいは硬質塩化ビニル管を吸音材で被覆し、さらに遮音材で被覆したものである設備設計表。
【請求項６】
請求項５に記載された設備設計表であって、
前記硬質塩化ビニル管を前記吸音材と前記遮音材とで被覆する前記排水立て管は、前記吸音材にフェルト材を使用するものと、グラスウールを使用するものとに分けられ、前記遮音材としてゴム材が使用されている設備設計表。
【請求項７】
請求項１から請求項６のいずれかに記載された設備設計表であって、
前記排水管継手は硬質塩化ビニル製であり、その排水管継手の被覆材は、前記吸音材と、前記吸音材を被覆する前記遮音材とを備えている設備設計表。
【発明の詳細な説明】
【技術分野】
【０００１】
本発明は、排水立て管の仕様と、集合住宅のパイプスペースと居室間を仕切る隔壁の使用とを決定するために利用される設備設計表に関する。
【背景技術】
【０００２】
集合住宅の排水設備に関する技術が特許文献１に記載されている。前記排水設備では、集合住宅の上階と下階とを仕切る床スラブを貫通して排水管継手が設けられており、各階の排水管継手が排水を流下させる排水立て管によって連結されている。前記排水立て管は、前記集合住宅の高さ方向に延びるパイプスペース（パイプシャフトとも言う）に収納されており、前記パイプスペースと前記集合住宅の居室間が石膏ボード等による隔壁によって間仕切りされている。
【先行技術文献】
【特許文献】
【０００３】
【特許文献１】特開２００８−１８００５６号公報
【発明の概要】
【発明が解決しようとする課題】
【０００４】
近年、集合住宅の居住性向上の観点から排水騒音を効果的に軽減させる手法が求められている。例えば、排水立て管では排水騒音を低減させるため種々の被覆材により被覆することが行なわれている。また、前記集合住宅のパイプスペースと居室とを仕切る隔壁も排水騒音を低減させる観点から様々な仕様のものが使用されている。しかし、現段階では、前記排水立て管の仕様と前記隔壁の仕様とをどのように組み合わせれば、効率的、かつ経済的に排水騒音を低減させることができるか、その指標となるものが存在しない。
【０００５】
本発明は、上記問題点を解決するためになされたものであり、本発明が解決しようとする課題は、排水騒音の低減の観点から排水立て管の仕様と、その排水立て管が通される集合住宅のパイプスペースと居室間を仕切る隔壁の仕様とを容易に決定できるようにすることである。
【課題を解決するための手段】
【０００６】
上記した課題は、各請求項の発明によって解決される。請求項１の発明は、集合住宅の上階と下階とを仕切る床スラブを貫通して設けられており、被覆材に覆われている排水管継手と、排水を流下させるパイプで各階の排水管継手を連結しており、前記集合住宅のパイプスペースに収納されている排水立て管とを備える排水設備において、前記排水立て管の仕様と、前記パイプスペースと居室間を仕切る隔壁の仕様とを決定するために利用される設備設計表であって、前記排水立て管の複数種類の仕様と、前記隔壁の複数種類の仕様との全ての組み合わせにおいて、所定流量の排水を前記排水立て管に流したときの前記居室内の音圧レベルが周波数毎に表示されており、室内騒音を表わす所定のＮＣ値よりも前記音圧レベルが小さくなる前記排水立て管の仕様と前記隔壁の仕様との組み合わせがまとまり、前記所定のＮＣ値よりも前記音圧レベルが大きくなる前記組み合わせがまとまるように、前記組み合わせの配置が決められている。
【０００７】
本発明によると、排水立て管における複数種類の仕様と、パイプスペースと居室間を仕切る隔壁における複数種類の仕様との全ての組み合わせにおいて、所定流量の排水を排水立て管に流したときの居室内の音圧レベルが周波数毎に表示されている。このため、排水立て管の特定の仕様と隔壁の特定の仕様とを組み合わせたときの排水騒音、即ち、居室内の音圧レベルを把握できるようになる。さらに、室内騒音を表わす所定のＮＣ値よりも音圧レベルが小さくなる排水立て管の仕様と隔壁の仕様との組み合わせがまとまり、前記所定のＮＣ値よりも前記音圧レベルが大きくなる前記組み合わせがまとまるように、前記組み合わせの配置が決められている。このため、排水騒音の低減の観点から希望する排水立て管の仕様と前記隔壁の仕様との組み合わせを選択し易くなる。
【０００８】
請求項２の発明によると、所定のＮＣ値よりも音圧レベルが小さくなる排水立て管の仕様と隔壁の仕様との組み合わせが枠で囲まれている。即ち、排水騒音が小さい排水立て管の仕様と隔壁の仕様との組み合わせを一見して把握できる。
【０００９】
請求項３の発明によると、所定のＮＣ値が複数レベルで設けられており、各々のレベルのＮＣ値よりも小さくなる前記排水立て管の仕様と前記隔壁の仕様との組み合わせが枠で囲まれている。即ち、排水騒音のレベル毎に排水立て管の仕様と隔壁の仕様との組み合わせを把握できる。
【００１０】
請求項４の発明によると、隔壁の複数種類の仕様は、12.5mmの石膏ボードが１枚のもの、あるいは前記12.5mmの石膏ボードを２枚重ねたもの、あるいは12.5mmの石膏ボードを１枚と9.5mmの石膏ボードを１枚とを重ねたもの、あるいは9.5mmの石膏ボードを２枚重ねたもの、あるいは9.5mmの石膏ボードが１枚のものである。即ち、集合住宅の隔壁に一般的に使用される素材をほぼ網羅している。
【００１１】
請求項５の発明によると、排水立て管の複数種類の仕様は、硬質塩化ビニル管で被覆されていないもの、あるいは硬質塩化ビニル管を耐火繊維モルタルで被覆したもの、あるいは硬質塩化ビニル管を吸音材で被覆し、さらに遮音材で被覆したものである。
【００１２】
請求項６の発明によると、硬質塩化ビニル管を吸音材と遮音材とで被覆する排水立て管は、前記吸音材にフェルト材を使用するものと、グラスウールを使用するものとに分けられ、前記遮音材としてゴム材が使用されている。即ち、集合住宅の排水設備で一般的に使用される排水立て管の仕様をほぼ網羅している。
【００１３】
請求項７の発明によると、排水管継手は硬質塩化ビニル製であり、その排水管継手の被覆材は、前記吸音材と、前記吸音材を被覆する前記遮音材とを備えている。
【発明の効果】
【００１４】
本発明によると、排水騒音の低減の観点から排水立て管の仕様と、その排水立て管が通される集合住宅のパイプスペースと居室間を仕切る隔壁の仕様とを容易に決定できるようになる。
【図面の簡単な説明】
【００１５】
【図１】集合住宅の一般的な排水設備を表わす模式図である。
【図２】集合住宅の居室に相当する室内で排水騒音を測定する様子を表す模式斜視図である。
【図３】前記排水設備の排水管継手と排水立て管等を表わす側面図である。
【図４】本発明の実施形態１に係る設備設計表を表す模式図である。
【図５】前記設備設計表における第１の排水立て管と第１の隔壁（１−１）との組み合わせにおける室内騒音（音圧レベル）を表わすグラフである。
【図６】前記設備設計表における第２の排水立て管と第１の隔壁（２−１）との組み合わせにおける室内騒音を表わすグラフである。
【図７】前記設備設計表における第３の排水立て管と第１の隔壁（３−１）との組み合わせにおける室内騒音を表わすグラフである。
【図８】前記設備設計表における第４の排水立て管と第１の隔壁（４−１）との組み合わせにおける室内騒音を表わすグラフである。
【図９】前記設備設計表における第１の排水立て管と第２の隔壁（１−２）との組み合わせにおける室内騒音を表わすグラフである。
【図１０】前記設備設計表における第２の排水立て管と第２の隔壁（２−２）との組み合わせにおける室内騒音を表わすグラフである。
【図１１】前記設備設計表における第３の排水立て管と第２の隔壁（３−２）との組み合わせにおける室内騒音を表わすグラフである。
【図１２】前記設備設計表における第４の排水立て管と第２の隔壁（４−２）との組み合わせにおける室内騒音を表わすグラフである。
【図１３】前記設備設計表における第１の排水立て管と第３の隔壁（１−３）との組み合わせにおける室内騒音を表わすグラフである。
【図１４】前記設備設計表における第２の排水立て管と第３の隔壁（２−３）との組み合わせにおける室内騒音を表わすグラフである。
【図１５】前記設備設計表における第３の排水立て管と第３の隔壁（３−３）との組み合わせにおける室内騒音を表わすグラフである。
【図１６】前記設備設計表における第４の排水立て管と第３の隔壁（４−３）との組み合わせにおける室内騒音を表わすグラフである。
【図１７】前記設備設計表における第１の排水立て管と第４の隔壁（１−４）との組み合わせにおける室内騒音を表わすグラフである。
【図１８】前記設備設計表における第２の排水立て管と第４の隔壁（２−４）との組み合わせにおける室内騒音を表わすグラフである。
【図１９】前記設備設計表における第３の排水立て管と第４の隔壁（３−４）との組み合わせにおける室内騒音を表わすグラフである。
【図２０】前記設備設計表における第４の排水立て管と第４の隔壁（４−４）との組み合わせにおける室内騒音を表わすグラフである。
【図２１】前記設備設計表における第１の排水立て管と第５の隔壁（１−５）との組み合わせにおける室内騒音を表わすグラフである。
【図２２】前記設備設計表における第２の排水立て管と第５の隔壁（２−５）との組み合わせにおける室内騒音を表わすグラフである。
【図２３】前記設備設計表における第３の排水立て管と第５の隔壁（３−５）との組み合わせにおける室内騒音を表わすグラフである。
【図２４】前記設備設計表における第４の排水立て管と第５の隔壁（４−５）との組み合わせにおける室内騒音を表わすグラフである。
【図２５】本発明の実施形態１に係る設備設計表の変更例を表す模式図である。
【発明を実施するための形態】
【００１６】
［実施形態１］
以下、図１から図２５に基づいて本発明の実施形態１に係る設備設計表の説明を行なう。本実施形態に係る設備設計表は、排水騒音の低減の観点から集合住宅の排水設備における排水立て管の仕様と、集合住宅のパイプスペースと居室とを間仕切りする隔壁の仕様とを決定するための表である。
【００１７】
＜排水設備の概要について＞
設備設計表の説明を行なう前に集合住宅の排水設備について説明する。集合住宅の排水設備１０では、図１の模式図に示すように、集合住宅の上階と下階とを仕切る床スラブＣＳを貫通して排水管継手２０が設けられており、各階の排水管継手２０が排水を流下させる排水立て管３０によって連結されている。前記排水立て管３０は、前記集合住宅の高さ方向に延びるパイプスペースＰ（パイプシャフトとも言う）に収納されており、図２に示すように、前記パイプスペースＰと前記集合住宅の居室Ｒ間が石膏ボード等による隔壁Ｗによって間仕切りされている。また、各階の排水立て管３０には、図１に示すように、各階の器具Ｍから排出される排水を排水立て管３０まで導く排水横枝管３５が接続されている。なお、前記排水立て管３０の下端は脚部継手３７を介して排水横主管３８に接続されている。
【００１８】
＜排水管継手２０について＞
排水管継手２０は、硬質塩化ビニル製の継手であり、図３に示すように、略円筒形の胴部２１と、その胴部２１の上側に同軸に設けられた上部受け口２５とを備えている。上部受け口２５は、排水立て管３０の下端部が水密な状態で挿入接続される部分であり、その上部受け口２５の内側にゴム製のシール材（図示省略）が設けられている。胴部２１には、上から順番に上胴部２１ｕと、大径直管部２１ｒと、テーパ部２１ｔと、小径直管部２１ｓとが設けられており、前記上胴部２１ｕの側面に横枝管受け口２６ａ，２６ｂが形成されている。また、胴部２１の小径直管部２１ｓの下端位置には、下階の排水立て管３０の上端部が差し込み接続される下部接続部２１ｘが設けられている。
【００１９】
排水管継手２０は、上部受け口２５と胴部２１の上胴部２１ｕとが上部被覆材１１によって覆われており、胴部２１の大径直管部２１ｒから下部接続部２１ｘまでが下部被覆材１３によって覆われている。そして、下部被覆材１３に覆われている排水管継手２０の胴部２１の大径直管部２１ｒから小径直管部２１ｓの上部までが集合住宅の上階と下階とを仕切る床スラブＣＳの貫通孔ＣＨに通されている。なお、床スラブＣＳの貫通孔ＣＨには、排水管継手２０が通された後、モルタルＭが充填される。
【００２０】
排水管継手２０を覆う上部被覆材１１は、排水管継手２０の内部を流下する排水の音を吸収するスポンジ材等からなる吸音材と、その吸音材の周囲を覆うゴム材からなる遮音材とから構成されている。ここで、スポンジ材としては、例えば、厚み寸法が3mm〜10mmのウレタンフォームや、ウレタンフォームの端材を細分化して接着剤で結合して成形されたウレタンチップスポンジ等が使用される。また、ゴム材としては厚み寸法が約1.5mmのゴムシートが使用される。
【００２１】
排水管継手２０を覆う下部被覆材１３は、第１の吸音材と、第２の吸音材と、両吸音材間に挟まれて円環状に形成された熱膨張材と、表皮材とから構成されている。第１の吸音材は、厚み寸法が3mm〜10mmのウレタンフォーム等のスポンジ材であり、第２の吸音材は、厚み寸法が3mm〜10mmのグラスウール、ロックウール等が使用される。また、熱膨張材は、火災の熱で膨張し、熱により軟化した硬質塩化ビニル製の排水管継手２０を締付けるように半径方向内側に膨張して管内を閉塞する。表皮材は、第２の吸音材を覆って下部被覆材１３の外表面を構成するものであり、防水性を有している。表皮材としては、アルミ箔の内面にガラスクロスが積層されたアルミガラスクロスが好適に使用される。
【００２２】
＜設備設計表の概要について＞
本実施形態に係る設備設計表は、上記した上部被覆材１１、下部被覆材１３を備える排水管継手２０の使用を前提として、排水騒音の軽減の観点から排水立て管３０の仕様と、集合住宅のパイプスペースＰと居室Ｒ間の隔壁Ｗの仕様との組み合わせを決めるための表である。設備設計表は、図４に示すように、上下方向に四行、左右方向に五列の格子状に形成されており、各々の行の左側に排水立て管３０の仕様が記載されている。また、各々の列の上側に隔壁Ｗの仕様が記載されている。
【００２３】
即ち、設備設計表の左側には、上から順番に第１〜第４の排水立て管３０の仕様が記載されており、最上行（第一行）が第１の排水立て管３０の仕様、第二行が第２の排水立て管３０の仕様、第三行が第３の排水立て管３０の仕様、最下行（第四行）が第４の排水立て管３０の仕様となっている。また、設備設計表の上側には、左から順番に第１〜第５の隔壁Ｗの仕様が記載されており、最左列（第一列）が第１の隔壁Ｗの仕様、第二列が第２の隔壁Ｗの仕様、第三列が第３の隔壁Ｗの仕様、第四列が第４の隔壁Ｗの仕様、最右列（第５列）が第５の隔壁Ｗの仕様となっている。このため、排水立て管３０の仕様を表わす行と隔壁Ｗの仕様を表わす列とで排水立て管３０の仕様と隔壁Ｗの仕様との組み合わせを表わすことができる。
【００２４】
例えば、設備設計表の第一行、第一列（１−１）は、第１の排水立て管３０の仕様と第１の隔壁Ｗの仕様との組み合わせを表わしている。同様に、設備設計表の第三行、第四列（３−４）は、第３の排水立て管３０の仕様と第４の隔壁Ｗの仕様との組み合わせを表わしている。さらに、設備設計表の第二行、第五列（２−５）は、第２の排水立て管３０の仕様と第５の隔壁Ｗの仕様との組み合わせを表わしている。
【００２５】
＜第１〜第４の排水立て管３０の仕様について＞
次に、第１〜第４の排水立て管３０の仕様を説明する。第１の排水立て管３０は、呼び径100mmの硬質塩化ビニル管ＶＰであり、被覆がされていない裸管である。第２の排水立て管３０は、呼び径100mmの硬質塩化ビニル管ＶＰを耐火繊維モルタルで被覆したものであり、いわゆる耐火二層管である。ここで、耐火繊維モルタルの厚み寸法は、約6.5mmに設定されている。第３の排水立て管３０は、呼び径100mmの硬質塩化ビニル管ＶＰを吸音材であるグラスウールで覆い、グラスウールを遮音材であるゴムシートで覆ったものである。ここで、グラスウールの厚み寸法は約25mmに設定されており、ゴムシートの厚み寸法は約1.1mmに設定されている。第４の排水立て管３０は、呼び径100mmの硬質塩化ビニル管ＶＰを吸音材である防音フェルト（不織布の一種）で覆い、防音フェルトを遮音材であるゴムシートで覆ったものである。ここで、防音フェルトの厚み寸法は5mm〜7mmに設定されており、ゴムシートの厚み寸法は約1.5mmに設定されている。
【００２６】
＜第１〜第５の隔壁Ｗの仕様について＞
次に、第１〜第５の隔壁Ｗの仕様を説明する。第１の隔壁Ｗは、一枚の12.5mmの石膏ボードから構成されている。第２の隔壁Ｗは、12.5mmの石膏ボードを二枚重ねしたものである。第３の隔壁Ｗは、12.5mmの石膏ボードを１枚と9.5mmの石膏ボードを１枚とを重ねたものである。第４の隔壁Ｗは、9.5mmの石膏ボードを２枚重ねたものである。第５の隔壁Ｗは、一枚の9.5mmの石膏ボードから構成されている。
【００２７】
＜設備設計表の音圧レベルのグラフについて＞
設備設計表には、例えば、第一行、第一列（１−１）に、第１の排水立て管３０（硬質塩化ビニル管ＶＰで裸管）を使用し、第１の隔壁Ｗ（一枚の12.5mmの石膏ボード）を使用したときの居室Ｒ内における排水騒音の音圧レベルのグラフが記載されている。同様に、設備設計表の第四行、第二列（４−２）には、第４の排水立て管３０（硬質塩化ビニル管ＶＰ＋防音フェルト＋ゴムシート）と第２の隔壁Ｗ（12.5mm石膏ボード２枚重ね）とを使用したときの居室Ｒ内における排水騒音の音圧レベルのグラフが記載されている。同様に、第一行から第四行、第一列から第五列のその他の組み合わせ位置にも、対応する排水立て管３０と隔壁Ｗとを使用したときの居室Ｒ内における排水騒音の音圧レベルのグラフが記載されている。ここで、第一行から第四行、第一列から第五列の各々の組み合わせ位置に記載された居室Ｒ内における排水騒音の音圧レベルのグラフが、図５〜図２４に具体的に記載されている。なお、前記グラフの左上に（行―列）の番号が記載されている。
【００２８】
次に、図５に基づいて、具体的に居室Ｒ内における排水騒音の音圧レベルのグラフについて説明する。ここで、図５のグラフは、設備設計表の第一行、第一列（１−１）に記載されているグラフであり、第１の排水立て管３０（硬質塩化ビニル管ＶＰで裸管）を使用し、第１の隔壁Ｗ（一枚の12.5mmの石膏ボード）を使用したときの例を表わしている。居室Ｒ内の排水騒音（音圧レベル）の測定は、図２に示すように、居室Ｒ内に騒音計のマイクロフォン５を設置することにより行なわれた。ここで、マイクロフォン５は、床面から1650mmの高さ位置で、隔壁Ｗから200mm離れた位置に設置されている。この状態で、排水立て管３０に排水を3Ｌ（リットル）／ｓ（秒）流した場合で排水騒音を測定した。
【００２９】
即ち、マイクロフォン５で騒音を検知し、騒音計で63〜8000Ｈｚの各周波数におけるオクターブバンド中心の音圧レベルを測定した。図５に示すように、横軸には各周波数が表示されており、縦軸には、各周波数に対応する音圧レベル（ｄＢ）が記載されている。排水騒音の測定は複数回行い、測定結果の平均値を、図５に示すように、ＮＣ曲線上にプロットした。図５に示すグラフから明らかなように、居室Ｒ内の音圧レベルは、ＮＣ値が35よりも小さい範囲におさまっている。ここで、ＮＣ値が30〜35の騒音の程度は、一般的に寝室、客室、講堂、診察室、及びプラネタリウム等の騒音と同程度である。また、ＮＣ値が25〜30の騒音の程度は、さらに静かな病院、手術室、書斎、及び公会堂等の騒音と同程度である。
【００３０】
設備設計表では、図４に示すように、音圧レベルがＮＣ値25よりも小さい範囲におさまっている排水立て管３０と隔壁Ｗとの組み合わせ、即ち、最も排水騒音が小さくなるハイグレードの組み合わせが第１の太枠１００で囲まれている。第１の太枠１００で囲まれる組み合わせは、第四行、第一列（４−１）と、第三行、第二列（３−２）と、第四行、第二列（４−２）と、第三行、第三列（３−３）と、第四行、第三列（４−３）と、第三行、第四列（３−４）とである。また、音圧レベルがＮＣ値35よりも小さい範囲におさまっている排水立て管３０と隔壁Ｗとの組み合わせ、即ち、排水騒音が許容範囲におさまっている経済的な仕様の組み合わせが第２の太枠２００で囲まれている。第２の太枠２００で囲まれる組み合わせは、第一行、第一列（１−１）と、第一行、第四列（１−４）と、第１行、第五列（１−５）と、第二行、第五列（２−５）とである。
【００３１】
また、音圧レベルがＮＣ値30よりも小さい範囲におさまっている排水立て管３０と隔壁Ｗとの組み合わせ、即ち、中程度の仕様が第１の太枠１００と第２の太枠２００とに囲まれない位置に配置されている。第１の太枠１００と第２の太枠２００とに囲まれない組み合わせは、第一行、第二列（１−２）と、第一行、第三列（１−３）と、第二行、第一列（２−１）と、第二行、第二列（２−２）と、第二行、第三列（２−３）と、第二行、第四列（２−４）と、第三行、第一列（３−１）と、第三行、第五列（３−５）と、第四行、第四列（４−４）と、第四行、第五列（４−５）とである。
【００３２】
＜設備設計表の具体的な使用方法について＞
次に、上記した設備設計表を利用して、排水設備の排水立て管３０の仕様と、集合住宅のパイプスペースＰと居室Ｒとを仕切る隔壁Ｗの仕様とを決定する方法について具体的に説明する。例えば、居室Ｒ内の排水騒音の音圧レベルをＮＣ値25より低く抑えたい場合には、第１の太枠１００に囲まれた範囲から選択すれば良い。例えば、第四行、第一列（４−１）の仕様を選択することで、図８に示すように、音圧レベルをＮＣ値25より低く抑えることができる。第四行、第一列（４−１）の仕様は、第４の排水立て管３０（硬質塩化ビニル管ＶＰ＋防音フェルト＋ゴムシート）と、第１の隔壁Ｗ（12.5mm石膏ボード１枚）との組み合わせである。このように、第１の隔壁Ｗを一枚の石膏ボードにより構成できるため、石膏ボードを二枚使用する他の組み合わせ、即ち、第三行、第二列（３−２）と、第四行、第二列（４−２）と、第三行、第三列（３−３）と、第四行、第三列（４−３）、第三行、第四列（３−４）の仕様と比較して経済的である。
【００３３】
また、居室Ｒ内の排水騒音の音圧レベルをＮＣ値30より低く抑えたい場合には、第１の太枠１００と第２の太枠２００に囲まれない範囲から選択すれば良い。例えば、第二行、第一列（２−１）の仕様を選択することで、図６に示すように、音圧レベルをＮＣ値30より低く抑えることができる。第二行、第一列（２−１）の仕様は、第２の排水立て管３０（耐火二層管）と、第１の隔壁Ｗ（12.5mm石膏ボード１枚）との組み合わせである。このため、排水立て管３０を比較的安価に、また第１の隔壁Ｗも比較的安価に抑えることができる。また、第四行、第五列（４−５）の仕様を選択することで、図２４に示すように、音圧レベルをＮＣ値30より低く抑えることができる。第四行、第五列（４−５）の仕様は、第４の排水立て管３０（硬質塩化ビニル管ＶＰ＋防音フェルト＋ゴムシート）と、第５の隔壁Ｗ（9.5mm石膏ボード１枚）との組み合わせである。このため、第１の隔壁Ｗを最も安価に抑えることができる。
【００３４】
また、居室Ｒ内の排水騒音の音圧レベルをＮＣ値35より低く抑えれば良い場合には、第２の太枠２００に囲まれた範囲から選択すれが良い。例えば、第一行、第五列（１−５）の仕様を選択することで、図２１に示すように、音圧レベルをＮＣ値35より低く抑えることができる。第一行、第五列（１−５）の仕様は、第１の排水立て管３０（硬質塩化ビニル管ＶＰで裸管）と、第５の隔壁Ｗ（9.5mm石膏ボード１枚）との組み合わせである。このため、排水立て管３０と隔壁Ｗとを最も安価に抑えることができる。なお、予め隔壁Ｗの仕様、あるいは排水立て管３０の仕様の一方が決定している場合でも、設備設計表を利用することでＮＣ値に基づいて他方の仕様を容易に選択することができる。
【００３５】
音圧レベルをＮＣ値30より低く抑えたい場合に、使用する排水立て管３０が、例えば、第２の立て管（耐火二層管）で決定している場合には、第１の太枠１００と第２の太枠２００に囲まれない範囲の第二行から隔壁Ｗの仕様を選択すれば良い。この場合、隔壁Ｗの仕様は、第１の隔壁（12.5mm石膏ボード1枚）、第２の隔壁（12.5mm石膏ボード2枚）、第３の隔壁（9.5ｍｍ石膏ボード＋12.5ｍｍ石膏ボード）、第４の隔壁（9.5mm石膏ボード2枚）のいずれかとなる。また、音圧レベルをＮＣ値30より低く抑えたい場合に、使用する隔壁Ｗが、例えば、第３の隔壁（9.5ｍｍ石膏ボード＋12.5ｍｍ石膏ボード）で決定している場合には、第１の太枠１００と第２の太枠２００に囲まれない範囲の第三列から排水立て管３０の仕様を選択すれば良い。この場合、排水立て管３０の仕様は、第１の立て管（硬質塩化ビニル管ＶＰで裸管）、第２の立て管（耐火二層管）のいずれかとなる。同様に、音圧レベルをＮＣ値25より低く抑えたい場合に、使用する排水立て管３０が第３の立て管（硬質塩化ビニル管ＶＰ＋グラスウール＋ゴムシート）で決定している場合には、第１の太枠１００に囲まれた範囲の第三行から隔壁Ｗの仕様を選択すれば良い。この場合、隔壁Ｗの仕様は、第２の隔壁（12.5mm石膏ボード2枚）、第３の隔壁（9.5ｍｍ石膏ボード＋12.5ｍｍ石膏ボード）、第４の隔壁（9.5mm石膏ボード2枚）のいずれかとなる。また、音圧レベルをＮＣ値25より低く抑えたい場合に、使用する隔壁Ｗが、例えば、第４の隔壁（9.5ｍｍ石膏ボード2枚）で決定している場合には、第１の太枠１００で囲まれた範囲の第四列から排水立て管３０の仕様を選択すれば良い。この場合、排水立て管３０の仕様は、第３の立て管（硬質塩化ビニル管ＶＰ＋グラスウール＋ゴムシート）となる。
【００３６】
また、仮に排水立て管３０が第２の立て管（耐火二層管）に決まっているが、より安価軽量で施工性の良い（ゴミの出ない）第１の立て管（硬質塩化ビニル管ＶＰで裸管）に変更したい場合には、同じ音仕様の範囲（ＮＣ値の範囲）から隔壁Ｗの仕様を選択することで、当初計画していた遮音性能を得ることができる。
【００３７】
＜本実施形態に係る排水設備の設計表の長所＞
本実施形態に係る設備設計表によると、排水立て管３０における複数種類の遮音上の仕様と、パイプスペースＰと居室Ｒ間を仕切る隔壁Ｗにおける複数種類の仕様との全ての組み合わせにおいて、所定流量の排水を排水立て管３０に流したときの居室Ｒ内の音圧レベルが周波数毎に表示されている。このため、排水立て管３０の特定の仕様と隔壁Ｗの特定の仕様とを組み合わせたときの排水騒音、即ち、居室内の音圧レベルを把握できるようになる。さらに、室内騒音を表わす所定のＮＣ値よりも音圧レベルが小さくなる排水立て管３０の仕様と隔壁Ｗの仕様との組み合わせがまとまり、前記所定のＮＣ値よりも前記音圧レベルが大きくなる前記組み合わせがまとまるように、前記組み合わせの配置が決められている。このため、排水騒音の低減の観点から希望する排水立て管３０の仕様と前記隔壁Ｗの仕様との組み合わせを選択し易くなる。
【００３８】
また、所定のＮＣ値よりも音圧レベルが小さくなる排水立て管３０の仕様と隔壁Ｗの仕様との組み合わせが太枠１００，２００で囲まれているため、排水騒音が小さい排水立て管３０の仕様と隔壁Ｗの仕様との組み合わせを一見して把握できる。また、ＮＣ値が複数レベル（ＮＣ値25、30、35）で設けられており、各々のレベルのＮＣ値よりも小さくなる排水立て管３０の仕様と隔壁Ｗの仕様との組み合わせが太枠１００，２００で囲まれているため、排水騒音のレベル毎に排水立て管３０の仕様と隔壁Ｗの仕様との組み合わせを把握できる。
【００３９】
＜変更例＞
本発明は上記実施形態に限定されるものではなく、本発明の要旨を逸脱しない範囲における変更が可能である。例えば、実施形態１の設備設計表では、第一行に第１の排水立て管３０、第二行に第２の排水立て管３０、第三行に第３の排水立て管３０、第四行に第４の排水立て管３０を配置する例を示した。このため、安価な排水立て管３０が上に、高価な排水立て管３０が下に配置されるようになった。しかし、図２５に示すように、第一行に第４の排水立て管３０、第二行に第３の排水立て管３０、第三行に第２の排水立て管３０、第四行に第１の排水立て管３０を配置して、高価な排水立て管３０を上に、安価な排水立て管３０を下にすることも可能である。また、本実施形態では、ＮＣ値25よりも小さく抑えられる組み合わせを第１の太枠１００で囲み、ＮＣ値35よりも小さく抑えられる組み合わせを第２の太枠２００で囲む例を示した。しかし、ＮＣ値30よりも小さく抑えられる組み合わせのみを太枠で囲むようにすることも可能である。
【００４０】
また、本実施形態に係る設備設計表では、排水を3Ｌ／ｓ流した場合の音圧レベルのデータを表示する例を示したが、例えば、1Ｌ／ｓ、6.5Ｌ／ｓ等の音圧レベルのデータを設備設計表に追加することも可能である。また、排水を流さなかったときの居室Ｒ内の音圧レベルのデータを設備設計表に追加することも可能である。
【符号の説明】
【００４１】
１０・・排水設備
２０・・排水管継手
３０・・排水立て管
Ｐ・・・パイプスペース
Ｒ・・・居室
Ｗ・・・隔壁
ＶＰ・・硬質塩化ビニル管
【図１】
2017119959.tif 000003
【図２】
2017119959.tif 000004
【図３】
2017119959.tif 000005
【図４】
2017119959.tif 000006
【図５】
2017119959.tif 000007
【図６】
2017119959.tif 000008
【図７】
2017119959.tif 000009
【図８】
2017119959.tif 000010
【図９】
2017119959.tif 000011
【図１０】
2017119959.tif 000012
【図１１】
2017119959.tif 000013
【図１２】
2017119959.tif 000014
【図１３】
2017119959.tif 000015
【図１４】
2017119959.tif 000016
【図１５】
2017119959.tif 000017
【図１６】
2017119959.tif 000018
【図１７】
2017119959.tif 000019
【図１８】
2017119959.tif 000020
【図１９】
2017119959.tif 000021
【図２０】
2017119959.tif 000022
【図２１】
2017119959.tif 000023
【図２２】
2017119959.tif 000024
【図２３】
2017119959.tif 000025
【図２４】
2017119959.tif 000026
【図２５】
2017119959.tif 000027